(57)【要約】      （修正有）【課題】どのような状況においてもモニターの画像を視認しながら撮影することが可能なカメラ機能を備え、フォトフレームとしても使用可能なカメラ機能付きフォトフレームを提供する。【解決手段】少なくともモニター部１０とカメラ部２０から構成されるカメラ機能付きフォトフレーム１であって、カメラ部が、モニター部に対して前後方向に±９０°の範囲の角度で回動可能にモニター部に接合され、カメラ部で撮影した画像データを電子記録媒体に記録し、記録した画像データをモニター部の液晶表示部１１に表示するように構成する。【選択図】図１
0003180105.tif 000002
【実用新案登録請求の範囲】
【請求項１】
少なくともモニター部とカメラ部から構成されるカメラ機能付きフォトフレームであって、カメラ部が、モニター部に対して前後方向に±９０°の範囲の角度で回動可能にモニター部に接合され、カメラ部で撮影した画像データを電子記録媒体に記録し、記録した画像データをモニター部の液晶表示部に表示するように構成したことを特徴とするカメラ機能付きフォトフレーム。
【請求項２】
カメラ機能付きフォトフレームをクレードルに載置した状態で充電、画像の表示、再生、撮影、データ出力が可能であることを特徴とする請求項１に記載のカメラ機能付きフォトフレーム。
【考案の詳細な説明】
【技術分野】
【０００１】  本考案は、カメラ機能付きフォトフレームに関するものであって、詳しくは、角度調整が可能なデジタルカメラを具備するカメラ機能付きフォトフレームに関するものである。
【背景技術】
【０００２】  従来から、デジタルカメラや、ビデオカメラには液晶モニターが設けられており（例えば、特許文献１参照）、撮影時には被写体をこの液晶モニターで確認して撮影するのが一般的である。【０００３】  そして、上記のデジタルカメラは、カメラのレンズの向きに対してモニター画面がほぼ一定に固定された構成となっている。【０００４】  そのため、このようなデジタルカメラでの撮影においては、液晶モニターを視認できないような状況、例えば、人ごみの先を撮影するような場合に、両手を上方に伸ばして撮影をするような場合には、被写体の位置を正確に把握することが困難であり、上手く撮影ができないことがしばしがあった。【０００５】  また、このような従来のデジタルカメラやビデオカメラに設けられた液晶モニターは、２．０〜３．５インチ程度の小型のものが一般的であり、少し離れたところからこれらの小型の液晶モニターの画像を視認することは非常に困難でもあった。【０００６】  また、これら従来のデジタルカメラやビデオカメラに設けられた液晶モニターは、撮影時の画像確認用に用いるものであるため、撮影した画像を映してフォトフレームとするようなことは想定されておらず、またそのような構成にもなっていなかった。
【先行技術文献】
【特許文献】
【０００７】
【特許文献１】特開２００９−２５５５０号公報
【考案の概要】
【考案が解決しようとする課題】
【０００８】  本考案は、上記のような背景から従来の問題点を解消し、どのような状況においてもモニターの画像を視認しながら撮影することが可能なカメラ機能を備え、フォトフレームとしても使用可能なカメラ機能付きフォトフレームを提供することを課題としている。
【課題を解決するための手段】
【０００９】  即ち、本考案のカメラ機能付きフォトフレームは以下のことを特徴としている。
第１に、少なくともモニター部とカメラ部から構成されるカメラ機能付きフォトフレームであって、カメラ部が、モニター部に対して前後方向に±９０°の範囲の角度で回動可能にモニター部に接合され、カメラ部で撮影した画像データを電子記録媒体に記録し、記録した画像データをモニター部の液晶表示部に表示するように構成したことを特徴とする。【００１０】  第２に、上記第１の発明のカメラ機能付きフォトフレームにおいて、カメラ機能付きフォトフレームをクレードルに載置した状態で充電、画像の表示、再生、撮影、データ出力が可能であることを特徴とする。
【考案の効果】
【００１１】  上記の本考案によれば、どのような状況においてもモニターの画像を視認することが可能なカメラ機能付きフォトフレームを提供することができる。
【図面の簡単な説明】
【００１２】
【図１】本考案のカメラ機能付きフォトフレームを示す正面図（Ａ）、背面図（Ｂ）である。
【図２】本考案のカメラ機能付きフォトフレームを示す上面図（Ａ）、底面図（Ｂ）である。
【図３】カメラ部の回動状態を示す説明側面図である。
【図４】本考案のカメラ機能付きフォトフレームが載置可能なクレードルを示す全面図（Ａ）、背面図（Ｂ）、上面図（Ｃ）である。
【図５】液晶表示部にカレンダーを表示した状態を示す正面図である。
【考案を実施するための形態】
【００１３】  本考案のカメラ機能付きフォトフレームは、カメラ部が、モニター部に対して前後方向に±９０°の範囲の角度で回動可能にモニター部に接合されている。
【００１４】  以下に本考案のカメラ機能付きフォトフレームについて、図面を用いて詳細に説明する。図１（Ａ）は本考案のカメラ機能付きフォトフレームの全体外観を示す正面図であり、図１（Ｂ）は背面図である。
【００１５】  本考案のカメラ機能付きフォトフレーム１の基本的構成は、モニター部１０とカメラ部２０から構成されている。
【００１６】  カメラ部２０は、通常一般に知られるデジタルカメラの機能を有するものであり、具体的には、光学信号である画像を電気に変換する撮像素子（光学センサ）、画像処理部及び記録部を備え、撮影モードにより選択可能な、フラッシュ、オートフォーカス、デジタル式ズーム、手ぶれ補正等の各機能が付加されているものである。
【００１７】  そして、カメラ部２０で撮影されて処理された画像信号はモニター部１０の液晶表示部１１に出力され視認することが可能となっている。
【００１８】  前記カメラ部２０の各機能は、図１に示すカメラ部２０前面のメニューボタン２３により各機能選択可能なメニュー画面をモニター部１０の液晶表示部１１に出力し、このメニュー画面により設定が可能となっている。
【００１９】  本考案で採用されるカメラ部２０の機能としては、静止画の撮影は勿論、動画の撮影も可能である。
【００２０】  静止画を撮影する場合は、図２（Ａ）に示すシャッター２４を押下することにより撮影することができる。また動画を撮影する場合には、図１に示す録画ボタン２５を押下することにより撮影を行うことができる。
【００２１】  撮影画像又は撮影動画のデジタルデータは、電子記録媒体に記録される。本考案で採用することができる電子記録媒体としては、画像データを記録できるものであれば特に制限なく選択することができ、例えばカメラ部内、あるいはモニター部内に設けられた内蔵ハードディスクドライブ、ＳＤカード等の外部メモリ、ＤＶＤディスク等を挙げることができる。
【００２２】  これらの中でも、記録容量及び取扱いの簡便性からＳＤカードを好適に採用することができる。ＳＤカードは、図２（Ｂ）に示すＳＤカードスロット２９に挿入することにより記録が可能となる。
【００２３】  また、モニター部１０にはサブレンズ１２が設けられており、カメラ部２０の切り替え機能によりカメラ部２０のメインレンズ２１とモニター部１０のサブレンズ１２が切り替え可能となっている。
【００２４】  このサブレンズ１２を使用することにより、自分の顔を確認したり、そのまま撮影することができる。
【００２５】  モニター部１０の液晶表示部１１は、その画面サイズや画素数等を適宜設定することができ、特に制限されるものではないが、撮影時、又はフォトフレームとしての視認性等を考慮した場合、画面サイズは５〜１０インチ、好ましくは７インチ程度が好ましい。
【００２６】  カメラ部２０は、モニター部１０の側面に前後に回動自在に取り付けられており、図３に示すように、手前に９０°から前方に９０°までメインレンズの向きを変えることができる。
【００２７】  このような構成とすることにより、撮影者は本考案のカメラ付きフォトフレーム１の両側を持ち、カメラ部２０を前後に倒すことによって撮影角度を自在に変更することができる。
【００２８】  例えば、高い所からのアングルを撮影しようとした場合には、両手を上方に伸ばした状態でカメラ部２０を被写体方向、モニター部１０を視界方向（下方向）にそれぞれ向けることにより、従来のデジタルカメラやビデオカメラでは撮影が困難であった状況での撮影が可能となる。
【００２９】  本考案のカメラ付きフォトフレーム１は、一般家庭用電源からの給電により駆動させることは勿論、内蔵されている蓄電池により撮影及び再生も可能となっている。
【００３０】  また、本考案のカメラ付きフォトフレーム１は、図４に示すようなクレードル３０に載置することにより、充電やデータ転送、あるいは外部データ出力等の拡張を行うことができる。
【００３１】  カメラ付きフォトフレーム１とクレードル３０との接合は、図２（Ｂ）に示すカメラ部２０の下部に設けられたコネクタ２９と、図４（Ａ）に示すクレードル３０に設けられたコネクタ３１の接合によりなされ、これらコネクタ２９、３１の接合により充電及びデータの通信が行われる。
【００３２】  また、本考案のカメラ付きフォトフレーム１は、クレードル３０に載置した状態で卓上のフォトフレームとして用いることができる。
【００３３】  フォトフレームとして用いる場合には、一枚の写真を常時表示することは勿論、保存してある写真画像を一定時間の間隔で順次切り替えて表示するスライドショーを表示したり、音声と共に動画を再生したりすることができる。
【００３４】  また、クレードル３０に載置した状態で、モニター部１０に、上記機能で画像を表示するとともに図５に示すようにカレンダーおよび時間等を表示することもできる。
【００３５】  本考案のカメラ機能付きフォトフレーム１の基本的な構成及び動作は、上記の説明の通りであるが、本考案のカメラ機能付きフォトフレームでは、この実施形態に限定されるものではなく、本考案の効果を阻害しない範囲において構成の変更が可能である。
【００３６】  例えば、上記の実施形態では、カメラ部２０はモニター部１０の側面中央で接合されているが、側面上部、又は側面下部で接合するようにしてもよい。
【００３７】  また、モニター部１０の液晶表示画面１１をタッチパネルにしたり、ワンセグチューナーを内蔵することによりテレビとして用いることもできる。
【００３８】  また、本考案のカメラ機能付きフォトフレーム１は、デジタルカメラやビデオカメラとして用いる他、クレードル３０に載置したまま撮影、録画することにより、防犯用の定点カメラとして使用することも可能である。
【符号の説明】
【００３９】１  カメラ機能付きフォトフレーム
１０  モニター部
１１  液晶表示部
１２  サブレンズ
２０  カメラ部
２１  メインレンズ
２２  フラッシュ
２３  メニューボタン
２４  シャッター
２５  録画ボタン
２６  再生ボタン
２７  電源ボタン
２８  ＳＤメモリスロット
２９  コネクタ
３０  クレードル
３１  コネクタ
３２  電源コネクタ
３３  ＵＳＢコネクタ
３４  音声、画像出力コネクタ
【図１】
0003180105.tif 000003
【図２】
0003180105.tif 000004
【図３】
0003180105.tif 000005
【図４】
0003180105.tif 000006
【図５】
0003180105.tif 000007